(57)【特許請求の範囲】
【請求項１】
複数の床材の本体パネルと、前記各本体パネルの間に形成される配線用の溝を被覆する複数の金属製の溝パネルとを連結してなるフリーアクセスフロアにおいて、前記本体パネルの周縁部に外周面と上下面とに開口する開口凹所を設けるとともに、前記溝パネルの周壁部の前記開口凹所に対応する部分を天板部の周縁部から内側に折り曲げて傾斜面の凹部を形成したことを特徴とするフリーアクセスフロアの配線取り出し口構造。
【請求項２】
前記開口凹所に形成された傾斜面の角度が約４０度であることを特徴とするフリーアクセスフロアの配線取り出し口構造。
【発明の詳細な説明】
【０００１】
【発明の属する技術分野】
本発明は、建物の床を二重床に構成するフリーアクセスフロアに関し、詳しくは、基礎床面とフリーアクセスフロアとの空間部に電気配線されたフリーアクセスフロアの配線の取り出し口の構造に関する。
【０００２】
【従来の技術】
近年、建物に設けられる事務所などの室内において、各種の電気、電子機器が多数使用されている。これらに用いられる室内の電線や通信線などは、建物の基礎床面とその上方に構築するフリーアクセスフロアとの空間の所定の場所に配線し、フリーアクセスフロアを構成するパネル部材の所望位置に設けられた配線取り出し口から配線ケーブルの端末部をフロアの上面に取り出せるようにしてある。
【０００３】
これら従来のフリーアクセスフロアは、例えば図６乃至図８に示すように、建物の基礎床面１に互いに所定の間隔で配設された複数の脚部２を有する正方形の本体パネル３と、これらの本体パネル３、３間に形成される溝４を被覆して架設される長方形の溝パネル５と、溝パネル５、５相互間に架設される正方形の補助溝パネル５ａと、から形成されており、溝４内には各種ケーブル６が収納されるようになっている。
【０００４】
本体パネル３は脚部２を一体形成する為に、また軽量化の為に裏面や周面をリブ７で補強した合成樹脂製などの成形パネルが使用されおり、また、溝パネル５は配線用の空間を可能な限り大きく確保し、且つ強度を保持する必要性から金属板をプレス加工した物が用いられている。そして、溝パネル５の周縁部の所望の位置には、電気、電子機器に接続するケーブル６の端末部を引き出す取り出し口８が周壁部９から天板部１０にかけて切り欠かれて設けられている。
【０００５】
溝内に配線されたケーブル６は、設置された電気、電子機器類の近傍の取り出し口８から引き出され、機器に接続されて使用される。従って、配線ケーブルがフロア外面を這うことがないので室内の見映えが良いうえに、溝４内に多数のケーブルが収容できるので多数の電気、電子機器類に対応できるようになっている。
【０００６】
【発明が解決しようとする課題】
しかしながら、上記従来のフリーアクセスフロアにおける配線取り出し口８は、金属板をプレス加工して溝パネル５を形成するとき、同時に打ち抜き加工で形成したものであり、取り出し口８となる金属板の縁部１１の角部は打ち抜き加工時の削成痕跡の残った鋭角部となっている。
【０００７】
従って、溝４からケーブル６を引き出す作業中に、ケーブル６の表面が金属板の縁部１１の鋭角部に当って引き掛かりして円滑な引き出し作業が損なわれるうえに、各機器との接続作業の際、未熟な作業者のやり方によってはケーブル６の表面を鋭角な縁部１１で擦って傷付けたり破損させてしまう心配があった。
【０００８】
本発明は、上記の問題に鑑みてなされたもので、溝内のケーブルを円滑に取り出せるとともに、機器との接続作業中もケーブルを傷付けたり破損させる心配のない配線取り出し口構造にすることを課題としている。
【０００９】
【課題を解決するための手段】
本発明は、複数の床材の本体パネルと、前記各本体パネルの間に形成される配線用の溝を被覆する複数の金属製の溝パネルとを連結してなるフリーアクセスフロアにおいて、前記本体パネルの周縁部に外周面と上下面とに開口する開口凹所を設けるとともに、前記溝パネルの周壁部の前記開口凹所に対応する部分を天板部の周縁部から内側に折り曲げて傾斜面の凹部を形成した構成の配線取り出し口としたことにより前記課題を解決した。
【００１０】
前記開口凹所に形成された傾斜面の角度が約４０度であるとよい。
【００１１】
【発明の実施の形態】
以下、本発明の好適な実施の形態を添付図面を参照しながら詳細に説明する。
【００１２】
図１乃至図５は、本発明のフリーアクセスフロアの配線取り出し口構造を示すものであり、本体パネル３や溝パネル５、補助溝パネル５ａから構成されるフリーアクセスフロアの基本的構成は既述したものと本質的に同一であるので、以下図において、重複する部分は同一符号を付してその説明を省略する。
【００１３】
本体パネル３は、図２に示すように、従来例と同様に合成樹脂材料を用いて成形され、裏面がリブ７で補強された平面正方形のパネル部１２と、その角部１３及び各辺１４の中央に、頂面１５の一部を角部１３および各辺１４より突出させた脚部２が一体に突設されて形成されている。尚、脚部２を別体に設けてそれぞれ接着、溶着、ネジ止めなど適宜の手段で固着してもよい。
【００１４】
パネル部１２の上面よりも低い各角部１３および各辺１４の脚部２の頂面１５には、溝パネル５を連結する為の嵌合溝１６が設けられている。
【００１５】
また、本体パネル３の周縁部の所望の位置には外周面と上下面とに開口する一以上の開口凹所１７が設けられている。
【００１６】
一方、溝パネル５は、鋼板やアルミニウム板等の金属板をプレス加工したものであって、天板部１０の周縁部を折り曲げて周壁部９が垂設されており、この周壁部９の前記本体パネル３の開口凹所１７に対応する部分を天板部の周縁部から内側に約４０度折り曲げて傾斜面１８の凹部１９が形成されている。
【００１７】
前記溝パネル５の周壁部９の凹部１９は、フリーアクセスフロアとして組立られたとき、はめ込まれる溝パネル５の方向に関わらず本体パネル３の開口凹所１７に対応するように複数箇所に設けられている。
【００１８】
以上のようなパネル部材３、５、を用いてフリーアクセスフロアを構築するには、従来例と同様に、基本床面１に、本体パネル３を互いに所定の間隔、即ち、溝４幅の距離を隔てて配置し、所望の溝４にケーブル６を配線した後、溝パネル５、５ａの周壁部９を本体パネル３の脚部２の嵌合溝１６に嵌合させながら本体パネル３、３間に溝パネル４を架設し、溝パネル４、４間には補助溝パネル５ａを架設すればよい。
【００１９】
尚、配線は、フリーアクセスフロアの構築後でも、溝パネル５、５ａを取り外して溝４を露出させ、電線などのケーブル６を収納して行うことができので、配線作業はフロアの構築の後でもよい。
【００２０】
フリーアクセスフロアが構築されると、本体パネル３の開口凹所１７と溝パネル４の凹部１９とは対応し、図１に示すように、この凹部１９と開口凹所１７とが対応することにより本発明の配線取り出し口８が構成される。
【００２１】
前記取り出し口８から引き出されたケーブル６は、取り出し口８を構成する本体パネル３の開口凹所１７に当接しても本体パネル３が合成樹脂製であるので傷つく心配がない。また、引き出されたケープル６の金属製の溝パネル５に当接する部分は、周壁部９の凹部１９に囲まれるように位置していて傾斜面１８に沿って当接する。従って、周壁部９の先端縁２０の打ち抜き時の削成痕跡の残る角部には鋭角には当接しないようになっている。
【００２２】
以上のように配線取り出し口８を構成したことにより、ケーブル６が取り出し口８に引き掛かることなく円滑に引き出せるので未熟な作業者でも心配なく配線作業ができるうえに、ケーブル６の各機器との接続作業中に於いて、ケーブル６の端末部が取り出し口８に当接して折り曲げられたり擦られたりしても、取り出し口８によって破損するようなことがない。
【００２３】
また、本体パネル３の開口凹所１７は本体パネル３の成形時に形成できるとともに、溝パネル５周壁部９の凹部１９はブレス加工で簡単に形成でき、更に、各パネル３、５を設置するだけで配線取り出し口８が簡単に形成される構成としたので、パネル部材３、５の価格や設置作業工数を憂慮することなく提供することができる。
【００２４】
【発明の効果】
以上説明したような形態で実施される本発明のフリーアクセスフロアの配線取り出し口構造によれば、以下に記載されるような効果を奏する。
【００２５】
床材の本体パネルの周縁部に外周面と上下面とに開口する開口凹所を設けるとともに、金属製の溝パネルの周壁部の前記開口凹所に対応する部分を天板部の周縁部から内側に折り曲げて傾斜面の凹部を形成し、本体パネルと溝パネルとで配線取り出し口を構成したので、溝に配線されて取り出し口から引き出されるケーブルの端末部は、傷つきにくい合成樹脂製の開口凹所および金属製の凹部の傾斜面に当接するように位置しており、溝パネルの周壁部の鋭い削成痕跡の残る先端部には鋭角には当接しない構造となっている。
【００２６】
従って、取り出し口からケーブルを傷つけることなく円滑に引き出せるとともに、ケーブルと機器との接続作業中に誤ってケーブルを取り出し口で破損してしまうことがなく、配線作業者の負担を軽減することができる。
【００２７】
また、本発明のフリーアクセスフロアを構成する本体パネルと溝パネルは従来のパネルと同様の工程で製造できるうえに、取り出し口はフリーアクセスフロアを構築するだけで構成されるので、従来価格と変わらぬ価格で改良されたフリーアクセスフロアを提供することができる。
【図面の簡単な説明】
【図１】本発明の実施の形態の主要部を示す断面図。
【図２】図１の実施の形態に於ける本体パネルを示す（Ａ）は平面図、（Ｂ）は正面図。
【図３】図１の実施の形態に於ける溝パネルを示す（Ａ）は平面図、（Ｂ）は正面図。
【図４】図３の溝パネルを示す斜視図。
【図５】図３（Ｂ）のＸーＸ矢視部分断面図。
【図６】従来例を示すフリーアクセスフロアの平面図。
【図７】図６の従来例の主要部を示す（Ａ）は断面図、（Ｂ）は平面図。
【図８】図６の従来例に於ける溝パネルを示す斜視図。
【符号の説明】
３  本体パネル，４  溝，５  溝パネル，９  周壁部，１７  開口凹所，１８傾斜面，１９  凹部，
【図１】
0003978547.tif 000002
【図２】
0003978547.tif 000003
【図３】
0003978547.tif 000004
【図４】
0003978547.tif 000005
【図５】
0003978547.tif 000006
【図６】
0003978547.tif 000007
【図７】
0003978547.tif 000008
【図８】
0003978547.tif 000009